(57)【要約】【課題】発光素子に対する配線基板の設置スペースが省くことができる共に配線の引き回しの自由度が増し、適用対象製品の小型薄型化を促進するのに極めて好都合な面状照明パネルを提供する。【解決手段】導光板２１の一端面に形成された一対の凹部２１４、２１４内に、ＬＥＤ２２がそれぞれ設置され、導光板２１の前面２１２における有効照射領域Ｄｉ外の光入射側縁部に、２個のＬＥＤ２２を直列に導通接続する通電配線２３が、引き回し配設されている。通電配線２３は、銀微細粒子をフェノール系樹脂に混ぜて得られる導電性ペースト状組成物をスクリーン印刷により所定のパターンに塗着し焼成して形成され、その両端部が導光板前面２１２における光入射側の一方のコーナー部に引き出されて、外部入力端子２３２、２３２が形成されている。【選択図】      図３
2012009235.tif 000002
【特許請求の範囲】
【請求項１】
一対の主面の間に厚みを有し、端面から入射した光を一方の主面から面状に射出する導光板と、
前記導光板の前記端面に向けて光を射出する発光素子と、
前記導光板の前記一方の主面又は他方の主面に直接配設され、前記発光素子に駆動電流を供給する配線とを有し、
前記配線は、接着性を有する導電性部材からなることを特徴とする面状照明パネル。
【請求項２】
前記面状照明パネルは、
前記導光板の前記一方の主面に対向させて設けられて且つ該一方の主面から射出された光が透過する光学シートを更に備え、
前記配線を介して、前記導光板と前記光学シートとが接着されていることを特徴とする請求項１に記載の面状照明パネル。
【請求項３】
前記面状照明パネルは、
前記導光板の前記他方の主面に対向させて設けられて且つ該他方の主面から射出された光を反射する反射シートを更に備え、
前記配線を介して、前記導光板と前記反射シートとが接着されていることを特徴とする請求項１又は２に記載の面状照明パネル。
【請求項４】
前記配線は、前記導光板の前記一方の主面又は前記他方の主面において、面状に光が射出される有効照射領域を除く領域に配設されていることを特徴とする請求項１乃至請求項３のいずれか一項に記載の面状照明パネル。
【請求項５】
前記配線には、外部回路に通じる配線基板が導通接続される入力端子が形成されていることを特徴とする請求項１乃至請求項４のいずれか一項に記載の面状照明パネル。
【請求項６】
前記発光素子は発光ダイオードであることを特徴とする請求項１乃至請求項５のいずれか一項に記載の面状照明パネル。
【請求項７】
一対の主面の間に厚みを有し、端面から入射した光を一方の主面から面状に射出する導光板と、前記導光板の前記端面に向けて光を射出する発光素子と、前記導光板の前記一方の主面又は他方の主面に直接配設され、前記発光素子に駆動電流を供給する配線とを有し、前記配線が接着性を有する導電性部材からなる面状照明パネルと、
前記面状照明パネルの前記一方の主面からの射出光が入射される平面表示パネルと、
前記平面表示パネルと前記面状照明パネルとに導通接続された外部入力用フレキシブル配線基板と、備え、
前記配線には、外部回路に通じる配線基板が導通接続される入力端子が形成され、
前記フレキシブル配線基板は、一方の端部が入力側端子とされ且つ他方の端部が出力側端子とされた配線を複数有し、前記複数の配線のうちの第１の複数の配線の各出力側端子は前記平面表示パネルの各入力端子に導通接続され、前記複数の配線のうちの前記第１の複数の配線とは異なる第２の複数の配線の各出力側端子は前記面状照明パネルの各入力端子に導通接続されることを特徴とする表示モジュール。
【発明の詳細な説明】
【技術分野】
【０００１】
本発明は、面状照明パネルとそれを用いた表示モジュールに関する。
【背景技術】
【０００２】
従来、液晶表示素子用のバックライトとして、一対の主面の間に厚みを有し、端面から入射した光を液晶表示素子に対向させた一方の主面から面状に射出する導光板と、導光板の端面に向けて光を射出する発光素子とを有するサイドライト方式の面状照明装置が、小型薄型化の促進に有利であることから多用されている。この場合の光源としては、設置スペースが小さくて済む発光ダイオード（以下、ＬＥＤという）等の発光素子が採用されることが多い。
【０００３】
上述の発光素子を用いた面状照明装置においては、特許文献１にも示されるように、ＬＥＤ等の発光素子とこれを保護するコンデンサ等の保護素子がフレキシブル配線基板（ＦＰＣ）や印刷回路基板（ＰＣＢ）等の基板上に直接搭載された形態で実装されている。
【先行技術文献】
【特許文献】
【０００４】
【特許文献１】特開２００１−１３３７５６号公報
【発明の概要】
【発明が解決しようとする課題】
【０００５】
上述の実装方法による場合、ＦＰＣやＰＣＢと液晶表示素子との間に導光板を固着しているので、両面テープといったようなこれらの部材間を固着するための部品が別途必要となっていた。
【０００６】
本発明の課題は、部品点数が削減された面状照明パネルを提供することである。
【課題を解決するための手段】
【０００７】
請求項１に記載された本発明の面状照明パネルは、一対の主面の間に厚みを有し、端面から入射した光を一方の主面から面状に射出する導光板と、前記導光板の前記端面に向けて光を射出する発光素子と、前記導光板の前記一方の主面又は他方の主面に直接配設され、前記発光素子に駆動電流を供給する配線とを有し、前記配線は、接着性を有する導電性部材からなることを特徴とするものである。
【０００８】
請求項２に記載の発明は、請求項１に記載の発明において、前記導光板の前記一方の主面に対向させて設けられて且つ該一方の主面から射出された光が透過する光学シートを更に備え、前記配線を介して、前記導光板と前記光学シートとが接着されていることを特徴とするものである。
【０００９】
請求項３に記載の発明は、請求項１又は請求項２に記載の発明において、前記導光板の前記他方の主面に対向させて設けられて且つ該他方の主面から射出された光を反射する反射シートを更に備え、前記配線を介して、前記導光板と前記反射シートとが接着されていることを特徴とするものである。
【００１０】
請求項４に記載の発明は、請求項１乃至請求項３のいずれか一項に記載の発明において、前記配線は、前記導光板の前記一方の主面又は前記他方の主面において、面状に光が射出される有効照射領域を除く領域に配設されていることを特徴とするものである。
【００１１】
請求項５に記載の発明は、請求項１乃至請求項４のいずれか一項に記載の発明において、前記配線には、外部回路に通じる配線基板が導通接続される入力端子が形成されていることを特徴とするものである。
【００１２】
請求項６に記載の発明は、請求項１乃至請求項５のいずれか一項に記載の発明において、前記発光素子は発光ダイオードであることを特徴とするものである。
【００１３】
請求項７に記載された本発明の表示モジュールは、一対の主面の間に厚みを有し、端面から入射した光を一方の主面から面状に射出する導光板と、前記導光板の前記端面に向けて光を射出する発光素子と、前記導光板の前記一方の主面又は他方の主面に直接配設され、前記発光素子に駆動電流を供給する配線とを有し、前記配線が接着性を有する導電性部材からなる面状照明パネルと、前記面状照明パネルの前記一方の主面からの射出光が入射される平面表示パネルと、前記平面表示パネルと前記面状照明パネルとに導通接続された外部入力用フレキシブル配線基板と、備え、前記配線には、外部回路に通じる配線基板が導通接続される入力端子が形成され、前記フレキシブル配線基板は、一方の端部が入力側端子とされ且つ他方の端部が出力側端子とされた配線を複数有し、前記複数の配線のうちの第１の複数の配線の各出力側端子は前記平面表示パネルの各入力端子に導通接続され、前記複数の配線のうちの前記第１の複数の配線とは異なる第２の複数の配線の各出力側端子は前記面状照明パネルの各入力端子に導通接続されることを特徴とするものである。
【発明の効果】
【００１４】
本発明の面状照明パネルによれば、部品点数が削減された面状照明パネルを提供することができる。
【図面の簡単な説明】
【００１５】
【図１】本発明の一実施形態としての液晶表示モジュールを示した模式的断面図である。
【図２】（ａ）は上記液晶表示モジュールを示す平面図で、（ｂ）は（ａ）においてフレキシブル配線基板を展開した平面図である。
【図３】上記液晶表示モジュールのうちの面発光照射パネルを示す、（ａ）はその平面図で、（ｂ）は立面図である。
【発明を実施するための形態】
【００１６】
本液晶表示モジュールにおける液晶表示パネル１は、図１に示すように、電極（不図示）が形成された一対の矩形をなすガラス基板１１、１２を、それぞれの電極形成面を所定の間隙を保って対向させて図示しない枠状シール材により接合し、枠状シール材で囲まれたガラス基板１１、１２の対向面（内面）間に液晶を封入して、構成されている。そして、ガラス基板１１、１２の各外面には、一対の前、後偏光板１３、１４がそれぞれ貼着されている。
【００１７】
ガラス基板１１、１２のうちの一方のガラス基板１２には、一方の短手縁辺を他方のガラス基板１１の対応する端面よりも外側へ突出させて、突出部１２１が形成されている。この突出部１２１の表面（電極形成面の延長面）には、図２に示されるように、両基板１１、１２の各電極に接続されているリード配線１５、液晶を駆動するための駆動制御信号が外部から入力される入力配線１６、及びそれらの各接続端子（不図示）等が配設されている。そして、この突出部１２１の所定位置に、表示信号電圧や走査信号電圧を各表示電極に出力するドライバ１７がＣＯＧ（Chip On Glass）方式により直接搭載されている。
【００１８】
図１に戻って、液晶表示パネル１の表示の観察側である前側とは反対側の後側には、サイドライト型の面状照射パネル２が設置されている。本実施形態の面状照射パネル２では、照射対象の液晶表示パネル１に大略対応した矩形をなす透明な導光板２１の一方の短手端面２１１側に、発光素子としてのＬＥＤ（Light-Emitting Diode）２２が配設されている。
【００１９】
導光板２１は、ポリカーボネイト樹脂等の透明度の高い樹脂材料を用いて形成され、液晶表示パネル１の表示が行われる有効表示領域Ｄｄを全周にわたり所定幅広げた有効照射領域Ｄｉを備えている。この有効照射領域Ｄｉから液晶表示パネル１に向けて面状光が照射される。なお、液晶表示パネル１に対向させる前面２１２とは反対側の後面２１３には、微小な凹凸からなる拡散縞（不図示）が形成されており、この拡散縞により、ＬＥＤ２２から射出され導光板２１に入射した光が前面２１２に向けて拡散反射される。
【００２０】
ＬＥＤ２２は、図３に示されるように、導光板２１の光を入射させる端面（以下、光入射面という）２１１に形成されている一対の凹部２１４、２１４内に、それぞれ１個づつ配設されている。ここで、一対の凹部２１４、２１４は、それぞれ、光入射面２１１を両側から１：３に内分する各位置に形成されている。
【００２１】
そして、一対のＬＥＤ２２、２２を駆動するための配線２３が、導光板２１の前面２１２に引き回し配設されている。この配線２３は、光を面状に射出させる前面２１２のうち、該前面２１２の中央部の有効照射領域Ｄｉを除く領域である光入射側縁部に引き回されて、該前面２１２に直接配設され、一対のＬＥＤ２２、２２を直列に導通接続している。
【００２２】
導光板２１の前面２１２のうち、各凹部２１４に隣接する領域はＬＥＤ２２との接続端子２３１とされ、これら接続端子２３１と、各ＬＥＤ２２に凸設されている一対の端子電極２２１、２２１とが、それぞれ、異方性導電ペースト（ＡＣＰ：Anisotropic Conductive Paste）２４を介して導通接続されている。異方性導電ペースト２４は凹部２１４内においてＬＥＤ２２と凹部２１４の側壁面との間に充填され、且つ、導光板２１の前面２１２のうち前記接続端子２３１が形成された領域に乗り上げて接触するように設けられている。
【００２３】
配線２３は、接着性を有する導電性部材がディスペンサによって塗布形成されてなる。この場合、導電性部材としては、エポキシ樹脂、シリコーン樹脂、ポリイミド樹脂、ポリウレタン樹脂等をバインダとし、銀、ニッケル、カーボン等の導電性フィラーを含有させてなるものが好適に用いられる。なお、配線２３は、上述したように有効照射領域Ｄｉ外に引き回し配設されているから、導光板２１からの射出光を遮断し光の利用効率を下げることはない。
【００２４】
接着性を有する導電性部材で形成した配線２３によって、導光板２１の前面２１２に対向するように設けられた光学シート積層体２６と導光板２１とを接着保持することができる。これにより、光学シート積層体２６を保持するための両面テープのような部材を省略することができる。
【００２５】
また、異方性導電ペースト２４は、平均粒径が約２８μｍ以下の導電性粒子を熱硬化性樹脂と熱可塑性樹脂とを混合してなる合成ゴム系バインダ樹脂中に攪拌混合して得られるペースト状の導通接着材で、接続電気抵抗値は１Ω以下である。
【００２６】
上述の配線２３によって形成されているＬＥＤ駆動回路の両端部は、導光板２１前面の一方の光入射側コーナー部に引き出され、外部入力端子２３２、２３２が形成されている。
【００２７】
図１に戻って、導光板２１の後側には、光を散乱反射させる光反射シート２５が設置されている。本実施形態における光反射シート２５は、白色のＰＥＴ（ポリエチレンテレフタレート：polyethylene terephthalate）シートで形成されている。この光反射シート２５は、導光板２１に入射し後面２１３の拡散縞により拡散反射されずに導光板２１外に射出した光を反射させて導光板２１内に再入射させるために設けられており、これにより、光の利用効率が大幅に高められる。
【００２８】
また、導光板２１の前面２１２に対向するように、該前面２１２から射出された光を透過させ光学シート積層体２６が設けられている。光学シート積層体２６は、導光板２１の光射出面２１２上に拡散シート２６１、下プリズムシート２６２、及び上プリズムシート２６３が、順次積層されてなる。これにより、導光板２１の光射出面（前面）２１２から面状に射出された光は、拡散シート２６１により輝度分布が大略均一化されると共に、上、下プリズムシート２６２、２６３により射出方向を光射出面２１２の略法線方向に揃えられた状態で、液晶表示パネル１に向けて照射される。
【００２９】
前述した液晶表示パネル１と上記面状照射パネル２は、外装ケース３内に収納されている。外装ケース３は、ステンレス板等の薄い金属板を加工して、広さの異なる前室３ａと後室３ｂが形成された２段収納型に形成されている。すなわち、面発光照射パネル２の平面外形に対応した矩形をなす底板３１の４方の縁辺に側板３２を立設し、この側板３２の所定の高さに棚部３３が設けられ、棚部３３の面積分だけ広い上位の前室３ａに液晶表示パネル１が、下位の後室３ｂに面発光照射パネル２が、それぞれ収納設置されることによって両パネル１、２間の必要な間隙が確保される構成となっている。なお、外装ケース３の側板３２に棚部３３を設けたことにより、外装ケース３の剛性が増し、薄型化された液晶表示モジュールに必要とされる強度が確保されて液晶表示モジュールの信頼性が向上する。
【００３０】
図２に示されるように、底板３１の周縁に立設された側板３２のうちの前記液晶表示パネル１の突出部１２１が位置する側の短手側板部３２ａには、切欠部３４、３５が設けられている。これら切欠部３４、３５のうちの一方の切欠部３４からは、突出部１２１の先端縁部の接続端子列に導通接合されたフレキシブル配線基板４が、外装ケース３外に引き出されている。このフレキシブル配線基板４には、液晶表示パネル１を駆動するために外部から入力される駆動制御信号をドライバ１７に供給する複数の表示用信号供給配線４１と、面状照明パネル２のＬＥＤ２２（図３参照）に駆動電流を通電するための一対の光源用通電配線４２が配設されている。これら配線４１、４２はそれぞれ一方の端部が表示用入力側接続端子４１１、光源用入力側接続端子４２１とされ且つ他方の端部が表示用出力側接続端子４１２、光源用出力側接続端子４２２とされ、それぞれがまとまって、フレキシブル配線基板４の所定区域に並設されている。また、配線４１、４２は、配線４１の各出力側端子は液晶表示パネル１の各入力端子に導通接続され、且つ、配線４２の各出力側端子は面状照明パネル２の各入力端子に導通接続されている。
【００３１】
すなわち、上記フレキシブル配線基板４は、メイン基板部４ａと、ガラス基板突出部１２１の縁端に沿って延在する中継基板部４ｂ、及びガラス基板突出部１２１と面状照明パネル２間に跨設される端末基板部４ｃとからなり、複数の表示用信号供給配線４１はメイン基板部４ａに配設されている。
【００３２】
これに対し、一対の光源用通電配線４２、４２は、それぞれ、メイン基板部４ａにおける表示用信号供給配線４１の配設エリアの側部から、中継基板部４ｂを経て、端末基板部４ｃの先端部に至る経路にわたり、連続する１本の配線にパターン形成されている。
【００３３】
ここで、光源用通電配線４２の出力側接続端子対４２２、４２２は、ベースフィルムが除去されてカバーレイ上に担持されており、従って、他の接続端子４１１、４２１、４１２の露出面とは逆の面を露出させている。
【００３４】
そして、前記端末基板部４ｃが面状照明パネル２に向けて折り返され、前記出力側接続端子対４２２、４２２が導光板前面２１２に直接設置されている入力端子２３２、２３２に半田接合されている。
【００３５】
以上のように、本実施形態の液晶表示モジュールにおいては、接着性を有する導電性部材によって導光板２１の前面２１２に配線２３を形成したので、導光板２１の前面２１２に対向するように配置される光学シート積層体２６と導光板２１とを該配線２３を介して接合することができる。これにより、光学シート積層体２６と導光板２１とを接合する際に、両面テープというような固定部材を別途必要とせず、部品点数が削減された面状照明パネル２を提供することができる。
【００３６】
なお、本発明は、上記の実施形態に限定されるものではない。
例えば、上記実施形態では、前記配線２３を接着性を有する導電性部材で塗布形成したが、これに限らず、発光素子に対する配線２３を接着性を有する銀ペースト印刷により形成配設してもよい。この場合、配線２３は、銀微細粒子をフェノール系樹脂に混ぜて得られる導電性ペースト状組成物をスクリーン印刷により所定のパターンに塗着し焼成して形成されている。この銀ペースト配線２３は、膜厚が１５μｍで体積固有抵抗が６．５×１０-6Ωｃｍと優れた導電性を備えている。また、焼成温度が１２０℃程度と比較的低く、基体のポリカーボネイトからなる導光板２１が焼成時に変質する虞もない。
【００３７】
また、発光素子に対する配線を導光板の後面に引き回し配設し、この配線を接着性を有する導電性部材で形成してもよい。この場合、接着性を有する導電性部材で形成した配線によって、導光板の後面に対向するように設けられた光反射シートと導光板とを接着保持することができる。この場合も、光反射シート２５を保持するための両面テープのような部材を省略することができる。
【００３８】
さらに、発光素子としては、ＬＥＤに限らず、光を放射状に射出できる他の発光素子を用いることも可能である。
【００３９】
加えて、本発明の表示モジュールは、液晶表示モジュールに限らず、有機ＥＬ表示モジュール等、他の種々の平面表示モジュールに広く適用可能であることは、勿論である。
【符号の説明】
【００４０】
１                        液晶表示パネル
１１、１２                ガラス基板
１３、１４                偏光板
１５                      リード線
１６                      入力配線
１６１                    入力端子
１７                      ドライバ
２                        面発光照射パネル
２１                      導光板
２２                      ＬＥＤ
２３                      配線（導電性部材）
２３１                    接続端子
２３２                    入力端子
２４                      異方性導電ペースト
２５                      光反射シート
２６                      光学シート積層体
３                        外装ケース
４                        フレキシブル配線基板
４１                      表示用信号供給配線（第１の複数の配線）
４１１                    表示用入力側接続端子
４１２                    表示用出力側接続端子
４２                      光源用通電配線（第２の複数の配線）
４２１                    光源用入力側接続端子
４２２                    光源用出力側接続端子
４ａ                      メイン基板部
４ｂ                      中継基板部
４ｃ                      端末基板部
【図１】
2012009235.tif 000003
【図２】
2012009235.tif 000004
【図３】
2012009235.tif 000005